(57)【要約】【課題】付属部品を取り付けるシート箇所においてパッドのめくれやずれなどを阻止できてそのパッドのめくれやずれなどによる外観品質の低下を未然に防止する。【解決手段】シート・パッド１８が、パッド裏面２１に副資材２２を一体化させ、そして、付属部品３０の取付け箇所に対応して取付け穴２３をパッド表面２０に開口させて穴明けし、その副資材２２が、その取付け穴の部分で残され、そして、その残された取付け穴部分２５に略Ｔ字状スリット２６を入れ、そして、その付属部品３０が、そのシート・パッド１８のその取付け穴２３にはめ込まれ、そして、その付属部品３０とシート・フレーム１７との間にその副資材２２のその残された取付け穴部分２５を固定的に挟んでそのシート・フレーム１７に固定的に取り付けられてそのシート・パッド１８をそのシート・フレーム１７に固定的に保持する。【選択図】図４
2013086601.tif 000002
【特許請求の範囲】
【請求項１】
シート・パッドが、パッド裏面に副資材を一体化させ、そして、付属部品の取付け箇所に対応して取付け穴をパッド表面に開口させて穴明けし、その副資材が、その取付け穴の部分で残され、そして、その残された取付け穴部分に略Ｔ字状スリットを入れ、そして、その付属部品が、そのシート・パッドのその取付け穴にはめ込まれ、そして、その付属部品とシート・フレームとの間にその副資材のその残された取付け穴部分を固定的に挟んでそのシート・フレームに固定的に取り付けられてそのシート・パッドをそのシート・フレームに固定的に保持するところの自動車シート。
【請求項２】
シート・バック・パッドが、パッド裏面に副資材を一体化させ、そして、付属部品の取付け箇所に対応して取付け穴をパッド背裏面に開口させて穴明けし、その副資材が、その取付け穴の部分で残され、そして、その残された取付け穴部分に略Ｔ字状スリットを入れ、そして、その付属部品が、そのシート・バック・パッドのその取付け穴にはめ込まれ、そして、その付属部品とシート・バック・フレームとの間にその副資材のその残された取付け穴部分を固定的に挟んでそのシート・バック・フレームに固定的に取り付けられてそのシート・バック・パッドをそのシート・バック・フレームに固定的に保持するところの自動車シート。
【発明の詳細な説明】
【技術分野】
【０００１】
この発明は、自動車シートに関し、詳細には、コンビニ・フック（レジ袋フック）などのような付属部品の取付け構造を改良するところの自動車シートに関する。
【背景技術】
【０００２】
自動車シートでは、コンビニ・フック（レジ袋フック）などのような付属部品をシート・バックの背裏面に取り付ける場合、通常、シート・バック・パッドに取付け穴が貫通して穴明けされ、その付属部品がその取付け穴にはめ込まれてシート・バック・フレームに固定的に取り付けられる。しかし、その取付け箇所においてそのシート・バック・パッドはその付属部品に対してフリーであるため、そのシート・バック・パッドにめくれやずれなどによる外観品質が低下される恐れがあった。
【先行技術文献】
【特許文献】
【０００３】
特開２０００−１７７４７０号公報
【発明の概要】
【発明が解決しようとする課題】
【０００４】
この発明の課題は、付属部品を取り付けるシート箇所においてパッドのめくれやずれなどを阻止できてそのパッドのめくれやずれなどによる外観品質の低下を未然に防止するところの自動車シートを提供するにある。
【課題を解決するための手段】
【０００５】
この発明の自動車シートは、シート・パッドが、パッド裏面に副資材を一体化させ、そして、付属部品の取付け箇所に対応して取付け穴をパッド表面に開口させて穴明けし、その副資材が、その取付け穴の部分で残され、そして、その残された取付け穴部分に略Ｔ字状スリットを入れ、そして、その付属部品が、そのシート・パッドのその取付け穴にはめ込まれ、そして、その付属部品とシート・フレームとの間にその副資材のその残された取付け穴部分を固定的に挟んでそのシート・フレームに固定的に取り付けられてそのシート・パッドをそのシート・フレームに固定的に保持する。
【０００６】
また、この発明の自動車シートは、シート・バック・パッドが、パッド裏面に副資材を一体化させ、そして、付属部品の取付け箇所に対応して取付け穴をパッド背裏面に開口させて穴明けし、その副資材が、その取付け穴の部分で残され、そして、その残された取付け穴部分に略Ｔ字状スリットを入れ、そして、その付属部品が、そのシート・バック・パッドのその取付け穴にはめ込まれ、そして、その付属部品とシート・バック・フレームとの間にその副資材のその残された取付け穴部分を固定的に挟んでそのシート・バック・フレームに固定的に取り付けられてそのシート・バック・パッドをそのシート・バック・フレームに固定的に保持する。
【発明の効果】
【０００７】
この発明の自動車シートでは、そのパッド裏面のその副資材が、その取付け穴で残されてその残された取付け穴部分に略Ｔ字状スリットを入れ、そして、その付属部品がその取付け穴にはめ込まれてシート・フレームに固定的に取り付けられると、そのスリット周辺の副資材がその付属部品とそのシート・フレームとの間に固定的に挟まれることによってその付属部品の取付け箇所においてそのシート・パッドのめくれやずれなどが阻止されてそのシート・パッドが保持され、そして、そのシート・パッドのめくれやずれなどによる
外観品質の低下が未然に防止されて外観品質が常に確保される。
【図面の簡単な説明】
【０００８】
【図１】乗用車のパセンジャ・シートに活用されるところのこの発明の自動車シートの具体例を示した斜視図である。
【図２】そのパセンジャ・シートのシート・バックを示した背面図である。
【図３】そのシート・バックのシート・バック・パッドを示した背面図である。
【図４】そのシート・バック・パッドの取付け穴部分を示したパッド裏面図である。
【図５】コンビニ・フックを省いて図２の５−５線に沿って示した断面図である。
【図６】そのコンビニ・フックを格納状態で示した斜視図である。
【図７】そのコンビニ・フックを使用状態で示した斜視図である。
【図８】そのコンビニ・フックを格納状態でフック・ケースおよびフック・カバーを示した側面図である。
【発明を実施するための形態】
【０００９】
この発明の自動車シートは、シート・パッドが、パッド裏面に副資材を一体化させ、そして、付属部品の取付け箇所に対応して取付け穴をパッド表面に開口させて穴明けし、その副資材が、その取付け穴の部分で残され、そして、その残された取付け穴部分に略Ｔ字状スリットを入れ、そして、その付属部品が、そのシート・パッドのその取付け穴にはめ込まれ、そして、その付属部品とシート・フレームとの間にその副資材のその残された取付け穴部分を固定的に挟んでそのシート・フレームに固定的に取り付けられてそのシート・パッドをそのシート・フレームに固定的に保持する。
【００１０】
また、この発明の自動車シートは、シート・バック・パッドが、パッド裏面に副資材を一体化させ、そして、付属部品の取付け箇所に対応して取付け穴をパッド背裏面に開口させて穴明けし、その副資材が、その取付け穴の部分で残され、そして、その残された取付け穴部分に略Ｔ字状スリットを入れ、そして、その付属部品が、そのシート・バック・パッドのその取付け穴にはめ込まれ、そして、その付属部品とシート・バック・フレームとの間にその副資材のその残された取付け穴部分を固定的に挟んでそのシート・バック・フレームに固定的に取り付けられてそのシート・バック・パッドをそのシート・バック・フレームに固定的に保持する。
【実施例１】
【００１１】
以下、特定されて図示された具体例に基づいて、この発明の自動車シートを説明するに、図1ないし図８は、乗用車のパセンジャ・シートに活用されるところのこの発明の自動
車シートの具体例１０を示し、そして、このパセンジャ・シート１０は、シート・クッション１１がシート・トラック（図示せず）を組み込み、また、シート・バック１２が左右のリクライニング・デバイス（図示せず）でそのシート・クッション１１に前倒しおよび角度調整可能に支持され、さらに、ヘッドレスト１３がそのシート・バック１２に取り外し可能に取り付けられ、そしてさらに、付属部品３０、すなわち・コンビニ・フック（レジ袋フック）３０がそのシート・バック１２の背裏面１４に取り付けられるところの構造に組み立てられ、そして、シート・トラックでその乗用車のボディ・フロアのフロント部分に前後調整可能に据え付けられる。
【００１２】
そのシート・クッション１１は、シート・クッション・フレーム（図示せず）にシート・クッション・パッド（シート・パッド）１５を組み付け、そして、それにトリム・カバー１６を被せ、固定して組み立てられる。
そのシート・クッション・パッド１５は、型において発泡性樹脂液から発泡成形され、そして、その際にそれのパッド裏面に副資材（図示せず）が一体化されたとこころの発泡成形品に仕上げられたものである。
【００１３】
そのシート・バック１２は、シート・バック・フレーム１７にシート・バック・パッド（シート・パッド）１８を組み付け、それにトリム・カバー１９を被せ、固定して組み立てられる。
そのシート・バック・パッド１８はそのシート・クッション・パッド１５と同様に型において発泡性樹脂液から発泡成形され、そして、その際にそれのパッド裏面２１に副資材２２が一体化されたところの発泡成形品に仕上げられたものである。
このシート・バック・パッド１８は、そのようにそのパッド裏面２１にその副資材２２を一体化させ、そして、そのコンビニ・フック３０の取付け箇所に対応して取付け穴２３をパッド背裏面（パッド表面）２０に開口させてそのパッド背裏面２０からそのパッド裏面２１に貫通させ、そして、その取付け穴２３においてそのコンビニ・フック３０をそのシート・バック・フレーム１７に固定的に取り付けるようにしている。勿論、そのトリム・カバー１９にもそのシート・バック・パッド１８のその取付け穴２３に穴合わせされる取付け穴２４が明けられている。
【００１４】
その副資材２２は、ボランスなどでそのシート・バック・パッド１８のその取付け穴２３の部分で残され、そして、その残された取付け穴部分２５に略Ｔ字状スリット２６を入れてそのコンビニ・フック３０をそのシート・バック・フレーム１７のフック取付けブラケット（図示せず）に取り付けできるようにしている。
【００１５】
そのコンビニ・フック３０は、そのシート・バック・パッド１８のその取付け穴２３に差し込んではめ込まれ、そして、そのコンビニ・フック３０とそのシート・バック・フレーム１７のそのフック取付けブラケットとの間にその副資材２２のその残された取付け穴部分２５を固定的に挟んでそのシート・バック・フレーム１７に固定的に取り付けられてそのシート・バック・パッド１８をそのシート・バック・フレーム１７に固定的に保持する。
【００１６】
このコンビニ・フック３０は、フック・カバー３１を一体化させた樹脂成形品でヒンジ・ピン３４によってフック・ケース３２に上下方向に揺動可能に取り付けられ、そして、そのフック・カバー３１で操作されて格納位置から使用位置に、また、その使用位置からその格納位置に搖動される。
そのフック・ケース３２は、裏面３３に爪付きスタッド３５を突き出して一体化された樹脂成形品でそのフック取付けブラケットのスタッド穴（図示せず）にその爪付きスタッド３５を差し込んでその爪をそのスタッド穴のまわりに引っ掛け、そのフック・ケース３２とそのフック取付けブラケットとの間にその副資材２２のその残された取付け穴部分２５を固定的に挟んでそのフック取付けブラケットに固定的に取り付けられ、そして、その固定的に挟まれた副資材２２のその残された取付け穴部分２５でその取付け穴２３まわりのそのシート・バック・パッド１８をそのシート・バック・フレーム１７に固定的に保持する。
【００１７】
したがって、このパセンジャ・シート１０では、そのコンビニ・フック３０はそのフック・カバー３１を手前に引くように指で操作して格納位置から使用位置に倒してレジ袋（図示せず）を引っ掛けて使用でき、また、フック・カバー３１を押し上げてそのフック・ケース３２に戻すように指で操作してその使用位置からその格納位置に戻される。
また、このシート・バック１２では、その副資材２２のその残された取付け穴部分２５がそのフック・ケース３２でそのフック取付けブラケットに固定的に挟まれてその固定的に挟まれた副資材２２のその残された取付け穴部分２５でその取付け穴２３まわりのそのシート・バック・パッド１８がそのシート・バック・フレーム１７に固定的に保持され、そのコンビニ・フック３０を取り付ける箇所においてそのシート・バック・パッド１８がめくれたりずれたりされず、そのシート・バック・パッド１８のめくれやずれなどが阻止
ざれてそのシート・バック１２の外観品質が低下されずに保たれる。
【００１８】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１９】
上述から理解されるように、この発明の自動車シートは、シート・パッドが、パッド裏面に副資材を一体化させ、そして、付属部品の取付け箇所に対応して取付け穴をパッド表面に開口させて穴明けし、その副資材が、その取付け穴の部分で残され、そして、その残された取付け穴部分に略Ｔ字状スリットを入れ、そして、その付属部品が、そのシート・パッドのその取付け穴にはめ込まれ、そして、その付属部品とシート・フレームとの間にその副資材のその残された取付け穴部分を固定的に挟んでそのシート・フレームに固定的に取り付けられてそのシート・パッドをそのシート・フレームに固定的に保持するので、この発明の自動車シートでは、そのパッド裏面のその副資材が、その取付け穴で残されてその残された取付け穴部分に略Ｔ字状スリットを入れ、そして、その付属部品がその取付け穴にはめ込まれてシート・フレームに固定的に取り付けられると、そのスリット周辺の副資材がその付属部品とそのシート・フレームとの間に固定的に挟まれることによってその付属部品の取付け箇所においてそのシート・パッドのめくれやずれなどが阻止されてそのシート・パッドが保持され、そして、そのシート・パッドのめくれやずれなどによる外観品質の低下が未然に防止されて外観品質が常に確保され、その結果、自動車にとって非常に有用で実用的である。
【符号の説明】
【００２０】
１０  パセンジャ・シート
１１  シート・クッション
１２  シート・バック
１３  ヘッドレスト
１４  背裏面
１５  シート・クッション・パッド／シート・パッド
１６  トリム・カバー
１７  シート・バック・フレーム
１８  シート・バック・パッド／シート・パッド
１９  トリム・カバー
２０  パッド背裏面／パッド表面
２１  パッド裏面
２２  副資材
２３  取付け穴
２４  取付け穴
２５  残された取付け穴部分
２６  略Ｔ字状スリット
３０  コンビニ・フック／レジ袋フック／付属部品
３１  フック・カバー
３２  フック・ケース
３３  裏面
３４  ヒンジ・ピン
３５  爪付きスタッド
【図１】
2013086601.tif 000003
【図２】
2013086601.tif 000004
【図３】
2013086601.tif 000005
【図４】
2013086601.tif 000006
【図５】
2013086601.tif 000007
【図６】
2013086601.tif 000008
【図７】
2013086601.tif 000009
【図８】
2013086601.tif 000010